(57)【特許請求の範囲】
【請求項１】
フレームの内部に、ハンドルレバー、クレドル、第１リンク及び第２リンクを組み込み、これらの第１リンクと第２リンクを介して可動接触子を動かすことにより接点をオンオフする配線用遮断器であって、
ハンドルレバーの脚板部をフレームの側板部の内側に位置させ、その下端部をハンドルレバーの回転中心とするとともに、このハンドルレバーの脚板部の内側であって前記回転中心よりも上方位置に、接点が溶着した状態においてハンドルレバーをオフ方向に動かそうとしたときに、第１リンクと第２リンクとの連結ピンが当接するストッパを突出形成したことを特徴とする配線用遮断器。
【請求項２】
フレームとハンドルレバーが、金属板をＵ字状にプレス成形したものであることを特徴とする請求項１記載の配線用遮断器。
【発明の詳細な説明】
【技術分野】
【０００１】
本発明は、アイソレーション機構を備えた配線用遮断器に関するものである。
【背景技術】
【０００２】
配線用遮断器は、フレームに枢着されたハンドルレバーの動きをリンク機構を介して可動接触子に伝えて接点をオンオフするとともに、過電流検出時には内蔵するスプリングの力によってリンク機構及び可動接触子を動かし、接点をオフとすることができる機能を備えたものである。これらの機能を実現するための構造としては、特許文献１に示されるようにフレームにハンドルレバー、クレドル、第１リンク及び第２リンクなどを取り付けた構造が一般的である。
【０００３】
クレドルは通常状態においては、引き外し機構により所定位置に保持されている。この状態でハンドルレバーをオン側またはオフ側に倒すと、スプリング力によって第１リンク及び第２リンクがオン側またはオフ側の安定位置に動き、可動接触子をオンオフさせる。しかしクレドルは過電流検出時には所定位置から引き外されてスプリング力により回転し、リンク機構のバランスを崩して可動接触子をオフ方向に回転させる役割を持つ。このリンク機構の動きと連動してハンドルレバーはオン位置からトリップ位置に動かされ、回路が遮断されたことが外部から分かるようになっている。また、過電流により接点が溶着してしまった場合には、クレドルが作動しても可動接触子はオン状態のままとなり、ハンドルレバーもオン位置を保持するようになっている。
【０００４】
しかし一般的な配線用遮断器では、接点溶着状態においてもスプリング力に抗してハンドルレバーをオフ位置に強制的に動かすことができる。このハンドルレバーの動きによってクレドルはリセットされてトリップ状態から通常状態に復帰するため、強制的にオフ位置に動かしたハンドルレバーは手を離してもそのままオフ位置に保持される。このような状態になると、接点は溶着したままであるにもかかわらず、外部からは接点がオフされているように見えることとなり、感電事故の原因となる。
【０００５】
このような危険を避けるために、アイソレーション機構と呼ばれる機構が開発されている。これは接点溶着状態においてはハンドルをオン位置からオフ位置に動かせないようにするもので、特許文献１ではフレームの側板部の外側からハンドルレバーの脚板部を被せるように配置し、この脚板部の一部に内向きに突出させた突起をフレームに形成した孔からフレーム内部に突出させ、フレーム内部の機構部と係合可能としている。このため、接点溶着状態においてはハンドルレバーの脚板部の突起が機構部に当接し、ハンドルレバーをオフ位置に動かせないようになっている。
【０００６】
ところがこの特許文献１の配線用遮断器は、アイソレーション機構を実現するためにフレームに大きな孔を形成しなければならず、フレームの強度が低下するおそれがあり、フレームの強度を維持するには肉厚化したり大型化しなければならないという問題があった。またフレームに大きな孔を形成すると機構部の支軸の配置位置が制約され、設計の自由度が低下するという問題もあった。この結果、機構部を小型化するうえで妨げとなっていた。
【先行技術文献】
【特許文献】
【０００７】
【特許文献１】特開２０００−１８２５０２号公報
【発明の開示】
【発明が解決しようとする課題】
【０００８】
従って本発明の目的は、フレームに機構部を小型化する妨げとなる大きな孔を形成することなく、アイソレーション機構を組み込んだ配線用遮断器を提供することである。
【課題を解決するための手段】
【０００９】
上記の課題を解決するためになされた本発明は、フレームの内部に、ハンドルレバー、クレドル、第１リンク及び第２リンクを組み込み、これらの第１リンクと第２リンクを介して可動接触子を動かすことにより接点をオンオフする配線用遮断器であって、ハンドルレバーの脚板部をフレームの側板部の内側に位置させ、その下端部をハンドルレバーの回転中心とするとともに、このハンドルレバーの脚板部の内側であって前記回転中心よりも上方位置に、接点が溶着した状態においてハンドルレバーをオフ方向に動かそうとしたときに、第１リンクと第２リンクとの連結ピンが当接するストッパを突出形成したことを特徴とするものである。なお、フレームとハンドルレバーが、金属板をＵ字状にプレス成形したものであることが好ましい。
【発明の効果】
【００１０】
本発明の配線用遮断器は特許文献１に示される従来の配線用遮断器とは異なり、ハンドルレバーの脚板部をフレームの側板部の内側に位置させるとともに、このハンドルレバーの脚板部の内側であってハンドルレバーの回転中心よりも上方位置にストッパを突出形成したものである。このため接点が溶着した状態においてハンドルレバーをオフ方向に動かそうとすると、このストッパが第１リンクと第２リンクとの連結ピンに当たり、ハンドルレバーをオフ位置に動かすことができず、アイソレーション機能が達成される。また、ハンドルレバーをオフ位置に動かそうとしたとき、ストッパが連結ピンからの反力を受けてハンドルレバーが外側に変形しようとするが、ハンドルレバーはフレームの内側に位置しているためフレームによって変形が防止される。しかもフレームに従来のような孔を明ける必要がなくなり、フレームの強度低下や、機構部の支軸の配置位置の制約がなくなり、機構部の小型化を図ることが可能となる。
【図面の簡単な説明】
【００１１】
【図１】本発明の配線用遮断器の全体斜視図である。
【図２】主要部の斜視図である。
【図３】機構部の斜視図である。
【図４】オン状態の要部拡大断面図である。
【図５】図４の左方向からの斜視図である。
【図６】接点溶着状態の要部拡大断面図である。
【図７】図６の左方向からの斜視図である。
【図８】接点溶着状態においてハンドルレバーをオフ方向に動かそうとした場合の要部拡大断面図である。
【図９】図８の左方向からの斜視図である。
【発明を実施するための形態】
【００１２】
以下に図面を参照しながら本発明の好ましい実施形態を説明する。なお以下の説明では、図面の方向に従ってケースの底面側を下、ハンドル側を上と表記する。
図１は実施形態の配線用遮断器の全体構造を示す図であり、１はケース、２はその中央部に配置された機構部である。図２に示されるように、機構部２の下方部にはクロスバー３が設けられている。クロスバー３には３極分の可動接触子４が取付けられており、機構部２がクロスバー３を回転させると３極分の可動接触子４が同時に動かされ、３極の接点のオンオフが同時に行われる。図面では可動接触子４の先端の可動接点５のみが示され、固定接点は省略されている。
【００１３】
図３に示されるように、機構部２はフレーム６とハンドルレバー７を備えている。フレーム６とハンドルレバー７は何れも金属板をＵ字状にプレス成形したものである。フレーム６は左右一対の側板部８を備え、フレーム６の上面開口部からハンドルレバー７の左右一対の脚板部９がフレーム６の内側に挿入されている。フレーム６の側板部８には内側に突起１０が形成されており、ハンドルレバー７の下端部の逆Ｖ字状部１１がこの突起１０と係合してハンドルレバー７の回転中心を構成している。なお図４に示されるようにハンドルレバー７はスプリング１２によって常に下向きの力を受けているため、逆Ｖ字状部１１が突起１０から外れることはない。
【００１４】
以下に図４、図５を参照しつつ機構部２の内部構造を説明する。フレーム６の内側に挿入されたハンドルレバー７のさらに内側には、クレドル１３が配置されている。クレドル１３はその一端がクレドルピン１４によってフレーム６の側板部８に枢着されている。クレドル１３の他端には突片１５が設けられており、通常状態においては図示を略した引き外し機構により図４に示す所定位置に保持されている。
【００１５】
クレドル１３の内側には、金属板をＵ字状にプレス成形した第１リンク１６が配置されている。この第１リンク１６の上端にはＶ字状部１７が形成されており、クレドル１３の内側に突設された突起１８に係合している。また第１リンク１６の下部には、第２リンク１９が連結ピン２０によって連結されている。この第２リンク１９の下端は前記したクロスバー３に軸２１によって連結されている。このため連結ピン２０の位置が動かされると、第２リンク１９を介してクロスバー３が動かされ、クロスバー３に取り付けられた可動接触子４が動いて接点のオンオフが行われる。
【００１６】
なお図４に示されるように、この連結ピン２０とハンドルレバー７の天井面２２との間には（引張）スプリング１２が取付けられており、第１リンク１６をハンドルレバー７の天井面２２に向かって引き寄せている。このため第１リンク１６はクレドル１３の突起１８から外れることはなく、突起１８を中心として動くことができる。
【００１７】
この図４に示した通常状態においては、図４に示したオン状態からハンドルレバー７を右方向（オフ方向）に倒すと、スプリング１２の反転動作によって第１リンクと第２リンク１９が引き上げられて接点がオフとなることは従来通りである。また、接点がオン状態において過電流が流れると引き外し機構（図示せず）がクレドル１３の突片１５の支持を外すので、クレドル１３は図６に示す位置まで反時計方向に回転し、第１リンク１６の上端の位置を図４よりも左方向に動かす。これによりリンク機構のバランスが崩され、スプリング１２の力により第２リンク１９が引き上げられて接点がオフとなることも従来通りである。
【００１８】
しかし過大な電流によって接点が溶着すると、図６に示すように可動接触子４はオン状態のままとなり、連結ピン２０の位置もオン状態のままとなる。このためハンドルレバー７もオン位置を保つ。しかしハンドルレバー７をオン位置としているのはスプリング１２の力のみであるから、通常の配線用遮断器ではスプリング１２に抗してハンドルレバー７をオフ位置に動かすことは可能であり、これによってハンドル位置と接点のオンオフ状態との不一致が生ずることは前述の通りである。
【００１９】
この問題を解決するために、本発明ではハンドルレバー７の脚板部９の内側に、一対のストッパ２３が突出形成してある。このストッパ２３は図５、図７、図９では実線で、また図４、図６、図８では破線で示されている。このストッパ２３はハンドルレバー７の下端部の逆Ｖ字状部１１よりもわずかに上方位置にある。このストッパ２３は接点が溶着した状態においてハンドルレバー７を図８のようにオフ方向に動かそうとしたときに、第１リンク１６と第２リンク１０との連結ピン２０の端部下面に当接する。接点溶着状態では連結ピン２０も動けないので、ハンドルレバー７をオフ方向に動かそうとしてもストッパ２３が連結ピン２０の端部下面に当たって拘束され、オフ方向に動かすことができなくなる。
【００２０】
このように本発明の配線用遮断器はアイソレーション機構を備えたものであるが、特許文献１のものとは異なり、ハンドルレバー７がフレーム６の内側に配置されており、そのハンドルレバー７の内面のストッパ２３が連結ピン２０の端部に直接接触する構造である。このため従来のようにハンドルレバー７の先端をフレーム６の孔を介してフレームの内側の機構部と接触させる必要はなく、ハンドルレバー７の板厚を厚くしなくてもハンドルレバー７が変形することもない。またハンドルレバー７の外側にはフレーム６が密着しているので、ストッパ２３が受ける反力によってハンドルレバー７が外側に押されても、変形することがない。
【００２１】
しかもフレーム６にアイソレーション機構のための大きな孔や切欠きを形成する必要もないのでフレーム６の強度が向上し、機構部の支軸位置の制約もなくなるので、設計の自由度が増すなどの多くの利点がある。
【符号の説明】
【００２２】
１  ケース
２  機構部
３  クロスバー
４  可動接触子
５  可動接点
６  フレーム
７  ハンドルレバー
８  側板部
９  脚板部
１０  突起
１１  逆Ｖ字状部
１２  スプリング
１３  クレドル
１４  クレドルピン
１５  突片
１６  第１リンク
１７  Ｖ字状部
１８  突起
１９  第２リンク
２０  連結ピン
２１  軸
２２  天井面
２３  ストッパ
【図１】
0005671727.tif 000002
【図２】
0005671727.tif 000003
【図３】
0005671727.tif 000004
【図４】
0005671727.tif 000005
【図５】
0005671727.tif 000006
【図６】
0005671727.tif 000007
【図７】
0005671727.tif 000008
【図８】
0005671727.tif 000009
【図９】
0005671727.tif 000010